(57)【要約】【課題】サイレントリソースエレメント（ＲＥ）グリッド及びサイレントＲＥグリッドを用いた隣接セル品質測定のための方法及び構成を提供する。【解決手段】モビリティの目的のため、隣接セル品質を測定するために、無線通信システムの第１のネットワークノード（３００）中で実行される第１の方法であって、前記方法は、ａ．データ割当てを有さない、即ち、サイレントグリッドであるリソースエレメント（２０２）を含み、品質が測定される隣接セルｉのセル指定グリッド（２００）を取得するステップと、ｂ．前記グリッドが測定期間上である間、信号干渉を測定するステップと、ｃ．隣接セルｉの品質を、測定された信号干渉に基づいて推測するステップと、を含む。【選択図】図２ｂ１
2015111883.tif 000002
【特許請求の範囲】
【請求項１】
モビリティの目的のため、隣接セル品質を測定するために、無線通信システムの第１のネットワークノード（３００）中で実行される第１の方法であって、前記方法は、
ａ．データ割当てを有さない、即ち、サイレントグリッドであるリソースエレメント（２０２）を含み、品質が測定される隣接セルｉのセル指定グリッド（２００）を取得するステップと、
ｂ．前記グリッドが測定期間上である間、信号干渉を測定するステップと、
ｃ．隣接セルｉの品質を、測定された信号干渉に基づいて推測するステップと、
を含む。
【請求項２】
前記推測された隣接セルｉの品質を第２のネットワークノード（３０２）にレポートするステップを含む、請求項１に記載の第１の方法。
【請求項３】
前記隣接セルｉの前記品質を、セルｉ中で用いられるサイレントリソースエレメントグリッドの間に測定又は推測される前記インターセル干渉として、計算、測定、及び／又は推測するステップを含む、請求項１に記載の第１の方法。
【請求項４】
前記インターセル干渉は、ノイズと、データ又は制御チャネル又はそれらの組合せからの受信パワーと、を含む、請求項１〜３のいずれか１項に記載の、第１の方法。
【請求項５】
前記隣接セルｉの前記品質を、信号強度、例えば、ＲＳＲＰ（Ｒｅｆｅｒｅｎｃｅ  Ｓｙｍｂｏｌ  Ｒｅｃｅｉｖｅｄ  Ｐｏｗｅｒ）と、干渉、例えばインターセル干渉プラスノイズ又はノイズを含むインターセルと、を用いて、計算、測定、及び／又は推測するステップを含む、請求項１〜４のいずれか１項に記載の第１の方法。
【請求項６】
前記隣接セルｉの前記品質を、ＲＳＲＱ（Ｒｅｆｅｒｅｎｃｅ  Ｓｙｍｂｏｌ  Ｒｅｃｉｅｖｅｄ  Ｑｕａｌｉｔｙ）として、次式を用いて、計算、測定、及び／又は推測するステップを含む、請求項１〜５のいずれか１項に記載の第１の方法。
ｉ  RSRQ=RSRP/(Iinter-cell + N0)
ここで、ＲＳＲＰは、Ｒｅｆｅｒｅｎｃｅ  Ｓｙｍｂｏｌ  Ｒｅｃｅｉｖｅｄ  Ｐｏｗｅｒであり、Ｉinter-cellは、セルｉにおいて用いられるサイレントリソースエレメントグリッド中に測定されたインターセル干渉であり、Ｎoはノイズである。
【請求項７】
データ割当てを有さないデータリソースエレメント（２０２）の前記サイレントリソースエレメントグリッド（２１０）中におけるポジションを、前記サイレントリソースエレメントグリッド（２１０）の前記セルのセルＩＤに応じて決定するステップを含む、請求項１〜６のいずれか１項に記載の第１の方法。
【請求項８】
ａ．前記第１のネットワークノード（３００）のために、前記サイレントリソースエレメントグリッドの前記セルの前記隣接セルＩＤから、前記サイレントリソースエレメントグリッドを取得するステップ、及び／又は、
ｂ．前記サイレントリソースエレメントグリッドを、前記サイレントリソースエレメントグリッドの前記セルの前記隣接セルＩＤから、前記第１のネットワークノード（３００）に知らせるステップと、
を含む、請求項１〜７のいずれか１項に記載の第１の方法。
【請求項９】
隣接セルｉにおいて用いられる前記サイレントリソースエレメントグリッドのインデックスを、前記関連する第１のネットワークノードに、少なくとも１つの制御チャネル例えばプライマリ又は物理ブロードキャストチャネル（ＰＢＣＨ）、及び／又は、セカンダリ又は専用ブロードキャストチャネル（Ｄ−ＢＣＨ）を介して、シグナリング又は送信するステップを含む、請求項１〜８のいずれか１項に記載の第１の方法。
【請求項１０】
前記セカンダリ又は前記Ｄ−ＢＣＨは、物理ダウンリンク共有チャネル（ＰＤＳＣＨ）上にマッピングされ、又は、前記ＰＤＳＣＨを介して送信される、請求項９に記載の第１の方法。
【請求項１１】
ａ．データ割当てを有さないデータリソースエレメントを含む、品質が測定される隣接セルｉのセル指定サイレントグリッドを取得するためのグリッド取得手段（５０４）と、
ｂ．前記サイレントグリッドが測定期間である間、信号干渉を測定するための測定手段（５０６）と、
ｃ．前記隣接セルｉの前記品質を、前記測定された信号干渉に基づいて、計算、測定、及び／又は、推測するための計算手段（５０８）と、
を含む、第１のネットワークノード（３００）中の第１の構成（５００）。
【請求項１２】
前記隣接セルｉの前記推測された品質を、第２のネットワークノード（３０２）にレポートするためのレポート手段（５００）を含む、請求項１１に記載の第１の構成（５００）。
【請求項１３】
前記計算手段（５０８）は、前記隣接セルｉの前記品質を、セルｉにおいて用いられる前記サイレントリソースエレメントグリッドの間に、前記インターセル干渉として計算、測定、及び／又は、推測するよう構成された、請求項１１又は請求項１２のいずれかに記載の第１の構成。
【請求項１４】
前記インターセル干渉は、ノイズと、データ又は制御チャネル又はそれらの組合せからの受信パワーと、を含む、請求項１１〜１３のいずれか１項に記載の第１の構成。
【請求項１５】
前記計算手段（５０８）が、前記隣接セルｉの前記品質を、信号強度、例えば参照シンボル受信パワー（ＲＳＲＰ）と、干渉、例えばインターセル干渉プラスノイズ、又は、ノイズを含むインターセル干渉と、を用いて、計算、測定、及び／又は推測するように構成された、請求項１１〜１４のいずれか１項に記載の第１の構成。
【請求項１６】
前記計算手段（５０８）は、前記隣接セルｉの前記品質を、参照シンボル受信品質（ＲＳＲＱ）として、次式を用いて、計算、測定、及び／又は、推測するよう構成された、請求項１１〜１５のいずれか１項に記載の第１の構成。
ｉ  RSRQ=RSRP/(Iinter-cell + N0)
ここで、ＲＳＲＰは、Ｒｅｆｅｒｅｎｃｅ  Ｓｙｍｂｏｌ  Ｒｅｃｅｉｖｅｄ  Ｐｏｗｅｒであり、Ｉinter-cellは、セルｉにおいて用いられるサイレントリソースエレメントグリッド中に測定されたインターセル干渉であり、Ｎoはノイズである。
【請求項１７】
データ割当てを有さない前記データリソースエレメント（２０２）の前記サイレントリソースエレメントグリッド（２１０）のポジションを、前記サイレントリソースエレメントグリッド（２１０）の前記セルの前記セルＩＤに応じて決定するための決定手段（５０９）を含む、請求項１１〜１６のいずれか１項に記載の第１の構成。
【請求項１８】
前記計算手段（５０８）が、
ａ．前記第１のネットワークノード（３００）についての前記サイレントリソースエレメントグリッドを、前記サイレントリソースエレメントグリッドの前記セルの前記隣接セルＩＤから取得し、及び／又は、
ｂ．前記サイレントリソースエレメントグリッドを、前記サイレントリソースエレメントグリッドの前記セルの前記隣接セルＩＤから、前記第１のネットワークノード（３００）に知らせる
ように構成された、請求項１１〜１７のいずれか１項に記載の第１の構成。
【請求項１９】
隣接セルｉ中で用いられる前記サイレントリソースエレメントグリッドのインデックスを、前記関連する第１のネットワークノードに、少なくとも１つの制御チャネル、例えば、プライマリ又は物理ブロードキャストチャネル（ＰＢＣＨ）、及び／又は、セカンダリ又は専用ブロードキャストチャネル（Ｄ−ＢＣＨ）を介してシグナリング又は送信するための、送信手段（５０７）を含む、請求項１１〜１８のいずれか１項に記載の第１の構成。
【請求項２０】
前記送信手段（５０７）は、前記セカンダリ又は前記Ｄ−ＢＣＨをマッピングし、又はそれをＰＤＳＣＨを介して送信するよう構成された、請求項１９に記載の第１の構成。
【請求項２１】
隣接セル品質測定の中で、無線通信システムの第１のネットワークノードにより用いられるためのサイレントリソースエレメントグリッドの設定又は設計を含む、無線通信システムの第２のネットワークノード（３０２）、例えば基地局の中で実行される第２の方法（７００）であって、
ａ．データ割当てを有さず、それによってサイレントリソースエレメントグリッドを実現している前記サイレントリソースエレメントグリッド中において、少なくとも１つの前記リソースエレメントを設定するステップと、
ｂ．データ割当てを有さず、データ送信のために用いることができる前記サイレントリソースエレメントグリッド、即ちＲＥ中において、少なくともいくつかの前記リソースエレメントを設定するステップと、
ｃ．前記サイレントリソースエレメントグリッド（２１０）をランダム化して周波数及び時間において順にリソースブロックに割当てるステップ（７０２）と、
ｄ．周波数及び時間において例えばランダムに（７０２）、前記サイレントリソースエレメントグリッドを変更するステップと、
のうち少なくともいずれか１つを含む方法。
【請求項２２】
前記サイレントリソースエレメントグリッドは、リソースブロック、タイムスロット、サブフレーム、及びフレーム中で生成されたリソースエレメントを含み、前記方法は、それぞれのサブフレームにとって適切な、前記リソースブロックのリソースウィンドウへのグルーピングを含み、それぞれのリソースウィンドウは、適切に周波数において隣接するリソースブロックのグループを含む、請求項２１に記載の第２の方法。
【請求項２３】
それぞれのリソースウィンドウについて適切に、制御又は参照シンボル信号でない全てのリソースエレメントを列挙するステップを含む、請求項２１又は２２のいずれかに記載の第２の方法。
【請求項２４】
それぞれのリソースウィンドウにおいて適切に、サイレントリソースエレメントの指定番号を、列挙されたリソースエレメントの前記セットから、例えば、前記列挙されたデータリソースエレメントのレンジにおいて、均一に番号を生成する、擬似ランダム数生成器を用いて選択するステップを含む、請求項２１〜２３のいずれか１項に記載の第２の方法。
【請求項２５】
隣接セルｉ中で用いられる前記サイレントリソースエレメントグリッドのインデックスの、少なくとも制御チャネル例えばプライマリ又は物理ブロードキャストチャネル（ＰＢＣＨ）、及び／又は、セカンダリ又は専用ブロードキャストチャネル（Ｄ−ＢＣＨ）のうちのいずれかを介した、前記関連する第１のネットワークノードへのシグナリングステップを含む、請求項２１〜２４のいずれか１項に記載の第２の方法。
【請求項２６】
前記セカンダリ又は専用ブロードキャストチャネル（Ｄ−ＢＣＨ）は、物理ダウンリンク共有チャネル（ＰＤＳＣＨ）上にマッピングされる、又は、前記ＰＤＳＣＨを介して送信される、請求項２５に記載の第２の方法。
【請求項２７】
無線通信システムの第２のネットワークノード（３０２）、例えば基地局における第２の構成（８００）であって、
ａ．無線通信システムの第１のネットワークノードによって、隣接セル品質測定中で用いるためにサイレントリソースエレメントグリッド（２１０）を設定又は設計するための第１の設定手段（８０２）と、
ｂ．データ割当てを有さず、それによってサイレントリソースエレメントグリッド（２１０）を実現している前記サイレントリソースエレメントグリッド（２１０）中において、前記リソースエレメントのうちの少なくとも１つを設定するための第２の設定手段（８０４）と、
ｃ．データ割当てを有さず、それによってサイレントリソースエレメントグリッド（２１０）を実現しており、データ送信のために用いることのできる前記サイレントリソースエレメントグリッド例えばＲＥ中において、前記リソースエレメントのうちの少なくともいくつかを設定するための第３の設定手段（８０６）と、
ｄ．前記サイレントリソースエレメントグリッド（２１０）をランダム化し、周波数及び時間において順にリソースブロックに割当てるためのランダム化手段（８０８）と、
ｅ．前記サイレントリソースエレメントグリッド（２１０）を例えば周波数及び時間においてランダムに（７０２）変更するための変更手段（８１０）と、
のうちの少なくとも１つを有する構成。
【請求項２８】
前記サイレントリソースエレメントグリッド（２１０）は、
リソースブロック、タイムスロット、サブフレーム、及びフレーム中において編成されたリソースエレメントを含み、
前記第２の構成は、
それぞれのサブフレームについて適切に、前記リソースブロックをリソースウィンドウにグルーピングするための編成手段（８１２）を有し、
それぞれのリソースウィンドウは、周波数において隣接するリソースブロックのグループを適切に含む、請求項２７に記載の第２の構成（８００）。
【請求項２９】
それぞれのリソースウィンドウについて適切に、制御又は参照シンボル信号でない全てのリソースエレメントを列挙するための列挙手段（８１４）を含む、請求項２７又は２８のいずれかを含む、第２の構成。
【請求項３０】
サイレントリソースエレメントの指定番号を、それぞれのリソースウィンドウにおいて適切に、列挙されたリソースエレメントの前記セットから、例えば、前記列挙されたデータリソースエレメントのレンジから、均一に番号を生成する、擬似ランダム数生成器を用いて選択するための選択手段（８１６）を含む、請求項２７〜２９のいずれか１項に記載の第２の構成。
【請求項３１】
隣接セルｉにおいて用いられる前記サイレントリソースエレメントグリッド（２１０）のインデックスを、少なくとも１つの制御チャネル、例えば、プライマリ又は物理ブロードキャストチャネル（ＰＢＣＨ）、及び／又は、セカンダリ又は専用ブロードキャストチャネル（Ｄ−ＢＣＨ）を介して、前記関連する第１のネットワークノードへシグナリング又は送信するための送信手段（８１８）を含む、請求項２７〜３０のいずれか１項に記載の第２の構成。
【請求項３２】
前記送信手段（８１８）は、前記セカンダリ又は専用ブロードキャストチャネル（Ｄ−ＢＣＨ）を物理ダウンリンク共有チャネル（ＰＤＳＣＨ）上にマッピングする、又は、前記ＰＤＳＣＨを介して送信するよう構成された、請求項３１に記載の第２の構成。
【請求項３３】
無線通信システムの第２のネットワークノード（３０２）におけるサイレントリソースエレメントグリッド（２１０）であって、
リソースエレメント（２０２）例えばデータリソースエレメント（２０２）を含んで構成され、データ割り当てを有さず、
前記無線通信システムの第１のネットワークノード（３００）によって隣接セル品質測定において用いられるよう構成された、サイレントリソースエレメントグリッド（２１０）。
【請求項３４】
周波数及び時間において順にランダム化されてリソースブロックに割当てられた、請求項３３に記載のサイレントリソースエレメントグリッド（２１０）。
【発明の詳細な説明】
【技術分野】
【０００１】
本発明は、通信システムにおける方法及び構成（ａｒｒａｎｇｅｍｅｎｔ）に関し、特に、通信システムにおける隣接セル品質測定のための方法及び構成に関する。
【背景技術】
【０００２】
Ｅ−ＵＴＲＡＮ（Ｅｖｏｌｖｅｄ−Ｕｎｉｖｅｒｓａｌ Ｔｅｒｒｅｓｔｒｉａｌ Ｒａｄｉｏ Ａｃｃｅｓｓ Ｎｅｔｗｏｒｋ、また３ＧＰＰと呼ばれる）において、直交周波数分割多重アクセス（ＯＦＤＭＡ）テクノロジーは、ダウンリンクにおいて用いられる。ＯＦＤＭは、送信されるデータが複数のサブストリームに分割され、それぞれのサブストリームが異なるサブキャリア上で変調される変調スキームである。このため、ＯＦＤＭＡに基づいたシステムにおいては、アップリンクとダウンリンクとの双方において、利用可能な帯域は、リソースブロック（ＲＢ）又はユニットと呼ばれる複数のサブチャネルにサブ分割される。リソースブロックは、時間及び周波数の双方により定義される。ここで用いられる現時点の仮定に従うと、リソースブロックサイズは、周波数及び時間ドメインにおいて、それぞれ１８０ＫＨｚ、及び０．５ｍｓ（タイムスロット）である。時間ドメインにおけるリソースブロックサイズ、ここでは０．５ｍｓは、しばしばタイムスロットと呼ばれる。１又は複数のリソースブロックはデータ送信のために、ユーザ装置（ＵＥ）に割当てられる。送信時間間隔（ＴＴＩ）は、時間領域で１ｍｓの長さのサブフレームと対応する２つのタイムスロットを含む。無線フレームは、１０ｍｓの長さである。即ち、無線フレームは、１０個のサブフレームを含む。全てのアップリンク及びダウンリンクのセル送信帯域幅は２０ＭＨｚ程度の大きさであってよく、他の特定の帯域幅は、１．４，３，５，１０，及び１５ＭＨｚである。２０ＭＨｚ帯域幅の場合には、データ及び制御信号を含む１００以上のリソースブロック（ＲＢ）がアップリンクのＵＥにより、或いは、例えばダウンリンクにおける基地局のネットワークにより送信され得る。ＵＥは、データ及び制御信号の受信及び送信のために、リソースブロックのサブセットに割当てられる。
【０００３】
モビリティのためのダウンリンク隣接セル測定
ＷＣＤＭＡにおいて、続く３つのダウンリンク隣接セル品質測定がモビリティの目的のためにまず指定される。
１．共通パイロットチャネル（ＣＰＩＣＨ）受信信号コードパワー（ＲＳＣＰ：Ｒｅｃｅｉｖｅｄ Ｓｉｇｎａｌ Ｃｏｄｅ Ｐｏｗｅｒ）、ＣＰＩＣＨのパイロットビット上で測定される逆拡散後の１つのコード上で受信されるパワー。ＲＳＣＰについての参照ポイントは、ＵＥにおけるアンテナコネクタである。
２．ＣＰＩＣＨ Ｅc／Ｎo；ＣＰＩＣＨ Ｅc／Ｎo＝ＣＰＩＣＨ ＲＳＣＰ／キャリアＲＳＳＩ ここで、ＲＳＳＩは受信信号強度インジケータである。ＣＰＩＣＨ Ｅc／Ｎoは、バンド中のパワー密度で割られるチップ毎の受信エネルギーとして記述され得る。測定は、好ましくは、ＣＰＩＣＨ上で実行される。ＣＰＩＣＨ Ｅc／Ｎoのための参照ポイントは、ＵＥにおけるアンテナコネクタである。
３．ＵＴＲＡキャリアＲＳＳＩは、関連チャネル帯域幅内の広帯域受信パワーとして記述され得る。測定は、好ましくはＵＴＲＡＮダウンリンクキャリア上で実行される。ＲＳＳＩのための参照ポイントは、ＵＥにおけるアンテナコネクタである。
【０００４】
参考文献［１］は、ＷＣＤＭＡのためのダウンリンク隣接セル測定についてより詳しく記述している。ＲＳＣＰは、共通パイロットチャネル（ＣＰＩＣＨ）についてのセルレベルに基づいてＵＥにより測定される。ＵＴＲＡキャリアＲＳＳＩは、全てのキャリア上で測定される。ＵＴＲＡキャリアＲＳＳＩは、トータル受信パワー、及び同じキャリア上の全てのセル（サービングセルを含む）からのノイズである。上記ＣＰＩＣＨ測定値は、しばしばモビリティ決定のために用いられる数量である。Ｅ−ＵＴＲＡＮにおいて続く３つのダウンリンク隣接セル品質測定が、まずモビリティの目的のために指定される。
ｉ      参照シンボル受信パワー（ＲＳＲＰ）
ｉｉ    参照シンボル受信品質（ＲＳＲＱ）：ＲＳＲＱ＝ＲＳＲＰ／キャリアＲＳＳＩ
ｉｉｉ  Ｅ−ＵＴＲＡキャリアＲＳＳＩ
【０００５】
参考文献［２］は、Ｅ−ＵＴＲＡＮのためのダウンリンク隣接セル測定についてより詳しく記述している。ＲＳＲＱ中のＲＳＲＰ又はＲＳＲＰ部分は、もっぱら参照シンボル上のセルレベルの基準に基づいてＵＥにより測定される。ＷＣＤＭＡのケースにおけるように、Ｅ−ＵＴＲＡキャリアＲＳＳＩは、全てのキャリア上で測定される。これはまた、同じキャリア上において、全てのセル（サービングセルを含む）からのトータルの受信パワー及びノイズである。測定品質（ｉ及びｉｉ）に基づいた２つのＲＳがしばしばモビリティ決定のために用いられる。隣接セル測定は、ほぼ２００ｍｓ程度又はさらに長い期間上で小さなスケールのフェーディングの影響を除くために平均化される。ＵＥ上において、所定の最小数のセルから、例えばＥ−ＵＴＲＡＮにおけるＲＳＲＰ及び／又はＲＳＲＱの隣接セル測定値を測定及びレポートするための要求がまた存在する。ＷＣＤＭＡ及びＥ−ＵＴＲＡＮの双方において、この数は、サービングキャリア周波数上で、多くの場合８セル（１つのサービングセルと７つの隣接セルとを含む。）である。サービングキャリア周波数は、共通してイントラ周波数と呼ばれる。しかしながら、“隣接セル”という表現は、ＵＥのサービングセルとこのサービングセルの隣接セルとの双方を含む。
【０００６】
隣接セル測定のサンプリング
全ての隣接セル測定量結果は、２又はそれ以上のベーシックなノンコヒーレントな平均化されたサンプルのノンコヒーレントな平均化を含む。Ｅ−ＵＴＲＡＮにおけるＲＳＲＰ測定平均化の一例が図１に示される。図は、物理レイヤ測定期間、例えば２００ｍｓの間、この例においては、３ｍｓ毎に４つのノンコヒーレントな平均化されたサンプル又はスナップショットを収集することにより、ＵＥが全ての測定量結果を得ることが描かれている。全てのコヒーレント平均化されたサンプルは、１ｍｓ長である。この例において、３ｍｓのノンコヒーレントなサンプルは、３つの連続したコヒーレントなサンプルを含む。例えばＲＳＲＰ又はＲＳＲＱといった隣接セル測定量の測定精度は、物理レイヤ測定期間によって決まる。サンプリングレートがＵＥの実装に特有のものであることは、特筆すべきである。そのために、他の実装においては、ＵＥは、２００ｍｓの間隔又は測定期間上で３つのスナップショットしか用いないかもしれない。サンプリングレートに関わらず、測定量がパフォーマンス要求を満たすものであることは、特定の測定精度の観点から重要である。
【０００７】
ＲＳＲＱの場合、分子のＲＳＲＰと分母のキャリアＲＳＳＩの双方が、両コンポーネント上の同様のフェーディングプロファイルに追随するために、同じ時点で又は同じ瞬間にサンプリングされるべきである。
【０００８】
モビリティシナリオ
基本的に、又は少なくとも２種類のモビリティが存在する。
ａ  アイドルモードモビリティ：セル再選択
ｂ  コネクティッドモードモビリティ：ハンドオーバ
【０００９】
セル再選択は、主にネットワークの如何なる直接の介入も要しないＵＥの自立的な機能である。しかし、いくつかの拡張のためにこのモビリティシナリオにおけるＵＥの挙動は、まだいくつかのブロードキャストされたシステムパラメータ及びパフォーマンス仕様により制御され得る。
【００１０】
ハンドオーバは、一方、多くの場合、明確なＵＥ特有のコマンド及びパフォーマンス仕様により、完全にネットワークにより制御される。
【００１１】
アイドル及びコネクティッドモードの双方において、モビリティ決定は、主に、上述した同じ種類のダウンリンク隣接セル測定に基づく。ＷＣＤＭＡ及びＥ−ＵＴＲＡＮの双方は、周波数再利用の１システムである。これは、地理的に最も近い又は物理的に隣合う隣接セルが同じキャリア周波数上で動作することを意味する。オペレータは、また、多重周波数レイヤを同じ受信可能サービスエリア内に配置するかもしれない。そのため、ＷＣＤＭＡ及びＥ−ＵＴＲＡＮの両方においてアイドルモードおよびコネクティッドモードのモビリティは、３つの主なカテゴリに広く分類される。
・イントラ周波数モビリティ（アイドル及びコネクティッドモード）
・インター周波数モビリティ（アイドル及びコネクティッドモード）
・インターＲＡＴモビリティ（アイドル及びコネクティッドモード）
【００１２】
イントラ周波数モビリティにおいて、ＵＥは、同じキャリア周波数に属するセル間を移動する。これは重要であり、最も重要でさえあるかもしれないモビリティシナリオである。なぜなら、これは遅延予定の観点からコストの低減を引き起こすからである。このモビリティシナリオは、より短い遅延を引き起こす。なぜならばＵＥ測定が測定ギャップの間に実行されるわけではないからである。２つ目に、ハンドオーバ及びセル再選択のほとんどが同じキャリア周波数上で運営されるセル間で実行される。加えて、オペレータは、自由に効率的に利用されることを望む少なくとも１つのキャリアを有するだろう。
【００１３】
インター周波数モビリティにおいて、ＵＥは、異なるキャリア周波数に属すが、同じ接続テクノロジであるセル間を移動する。これは、イントラ周波数モビリティと比較して重要ではないモビリティシナリオであると考えられている。これは、異なるキャリアに属するセル間におけるハンドオーバ及びセル再選択は、適したセルがサービングキャリア周波数上で利用可能でないときに実行されるためである。さらに、インター周波数モビリティのためのＵＥ測定は、ギャップの間に実行される。これは、測定遅延を増大させ、このため、イントラ周波数シナリオの場合と比較して、長いハンドオーバ遅延を引き起こす。
【００１４】
インターＲＡＴモビリティにおいて、ＵＥは、異なる接続テクノロジに属するＷＣＤＭＡ及びＧＳＭ間のようなセル間で移動する。このシナリオは、オペレータがこのネットワークにおいて全てのサポートされるＲＡＴの完全な受信可能エリアを有していない場合に特に重要である。初期の展開中において、オペレータは、新たに開発されたテクノロジについて制限された受信可能エリアを有しているかもしれない。このため、インターＲＡＴハンドオーバは、全てのＲＡＴが完全な受信エリアを有していないとしても、ユーザにユビキタスサービスを保証するだろう。さらに、オペレータは、異なるＲＡＴｓを異なるサービスのために最適化するかもしれない。例えば、ＧＳＭについてはスピードのために、ＵＴＲＡＮについてはパケットデータのために、Ｅ−ＵＴＲＡＮについては音声とパケットデータの両方のために最適化するかもしれない。かくして、もしＵＥが音声及びパケットデータの間で切替える、又は、両方のタイプのサービスを同時に要求する場合には、インターＲＡＴハンドオーバが、オペレータにより用いられ、要求されたサービスを予定された加入者に提供するために最も適したテクノロジが選択される。
【００１５】
品質測定の目的
上記にて示唆されたように、ＣＰＩＣＨ Ｅc／Ｎo及びＲＳＲＱは、ＷＣＤＭＡ及びＥ−ＵＴＲＡＮにおいてそれぞれ用いられる、所謂隣接セル品質測定量である。一般的に品質測定（Ｑrx）は、次のように表現される。
【００１６】
【数１】
2015111883.tif 000003
【００１７】
ここで、Ｐｒｘは、パイロット又は参照信号又はチャネルすなわちシグナルの強い部分の受信パワーである。Ｉは、干渉であり、Ｎoは、ノイズである。品質測定のタイプによって、構成要素Ｉは、パイロットチャネル上の干渉であり、又は全てのキャリア上のトータルの干渉であり、又は単にセル間の干渉とノイズの和である。ＷＣＤＭＡ及びＥ−ＵＴＲＡＮ内における現在の品質測定において、干渉測定は、キャリア上における全てのすなわちサービング及び全てのノンサービングセルからの干渉を構成する。実際には、同じ測定帯域幅中のノイズ及び干渉は、分けることができない。これは、ＵＥにより測定される干渉は、実際の干渉とノイズとを含むだろうことを意味する。すなわち、測定された部分は、（１）における分母（Ｉ＋Ｎo）の全てである。
【００１８】
隣接セル品質測定の目的は、ＵＥによって、特定のセルにおいて経験される長期的なダウンリンク品質を評価して予想することである。これは、確かにＵＥがセル内で達成する信号品質又はスループットを示す。この予測は、セル再選択及びハンドオーバがそれぞれ実行されているときに、ＵＥ及びネットワークが最も適したセルを選択することを可能にする。Ｅ−ＵＴＲＡＮにおいて、任意のリソースブロックのセット（すなわち、セル帯域幅の一部）がＵＥに対して送信のために割り当てられる。そのため、品質測定は、全ての帯域上で、又は少なくとも帯域中の最も大きい可能性のある部分上で全ての長期的な平均品質が取得されるべきであろう。これは、サービングセルからのリソースブロックのサブセットの短期間における品質が描かれるＥ−ＵＴＲＡＮのＣＱＩ測定と対照的である。
【発明の概要】
【発明が解決しようとする課題】
【００１９】
上記のように、品質測定は、例えばＲＳＲＱ＝ＲＳＲＰ／キャリアＲＳＳＩの分母における全てのキャリア上のトータルの干渉を含む。これは、品質測定が、またサービングセル信号からの影響を含むことを意味する。特にＥ−ＵＴＲＡＮのようなＯＦＤＭに基づくシステムにおいては、サービングセル信号は、良好なサブキャリア間のセル帯域幅にわたる直交性に起因する、ごくわずかなイントラセル干渉を含む。セル品質を正確に追跡するために、サービングセル信号からの影響は従って隣接セル品質測定の干渉測定部分から除外するべきである。
【００２０】
さらに、インターセル干渉の統計的な特徴は、インターセル干渉が次に示す１〜３のいずれに起因するかによって著しく異なるかもしれない。
１．隣接セルの参照シンボル
２．隣接セルからのデータ信号
３．隣接セルからの制御信号
【００２１】
これら３つのカテゴリーは、異なる送信パワーと空間的な特性とを有するかもしれない。正確な隣接セル品質測定、又は、推定のために、ＵＥは、上述の３つのカテゴリの混合であるデータチャネルにおいてリソースエレメント（ＲＥ）に影響を与える、インターセル干渉のよい統計、又は、得るのに適した統計、又は統計的特性を有するべきである。ここでは、Ｉ＿ｄと称される。この式を、隣接セルにおけるリソースエレメント（ＲＥ）からのインターセル干渉として使用してもよく、ここで当該ＲＥｓは好ましくは、データチャネルのみに属するべきである。しかし、ＲＥｓは、ＲＥｓの３つのカテゴリ、データ信号、制御信号、及びＲＥｓを含む参照シンボルの１又は２以上の混合でありうる。インターセル干渉の統計的な特徴は、ここにＩ＿ｄとして称される。
【００２２】
実際、少なくとも多くの場合、データチャネルにおいてリソースエレメント（ＲＥ）に打撃を与える、又は影響を与えるインターセル干渉は上述した３つのカテゴリ１，２，及び３の混合である。
【００２３】
最終的には、又は好ましくは、この干渉特性は、データチャネル上において、測定され、又は測定及び計算されるべきである。しかしながら、この測定は、リソースエンティティ即ち、例えば特定のユーザ又はＵＥにスケジュールされたデータを含む時間―周波数リソースエレメントに限定される。サービングセル信号からの影響を除く唯一の又は主に良好な機会が、測定を行おうとするＵＥがスケジュールされたリソースについては存在するためである。それらリソースエンティティにより送信されるデータをＵＥが受信しているリソースについては、と言ってもよい。制限された数の干渉サンプルが明らかに統計的な推定又は測定又は推定された干渉統計の正確性に不利益をもたらすかもしれない。さらに、マルチユーザーＭＩＭＯ（Ｍｕｌｔｉｐｌｅ Ｉｎｐｕｔ Ｍｕｌｔｉｐｌｅ Ｏｕｔｐｕｔ）即ち、又は例えば空間分割多重アクセスシステムにおいて、複数のユーザが、もし測定がデータＲＥｓ上で実行される場合に、ＵＥがイントラセル干渉からインターセル干渉を分離することを妨げる、同じデータリソースエレメント（ＲＥ）に割り当てられるかもしれない。
【００２４】
或いは、干渉測定は、参照シンボル（ＲＳ）を含むＲＥｓ上で実行されてもよい。しかしながら、統計、又は統計的な特徴、例えばＩ＿ＲＳと対応する、隣接セルＲＳにおける干渉測定値の平均干渉は、データチャネル上又はコントロールチャネル上における干渉と明らかに異なる統計を示すかもしれない。干渉測定値の統計的な特徴は、隣接セルＲＳ上におけるＩ＿ＲＳが異なる、またはデータチャネル上の干渉測定値の統計的な特徴、又は、コントロールチャネル上の干渉測定値の統計的な特徴と明らかに異なるケースであるかもしれない。隣接セルＲＳ上の干渉測定値は、隣接セルＲＳからの干渉を与える、又は生み出す。ＲＳｓの制限されたセットが存在し、特にＭＩＭＯのために、隣接するアンテナについてＲＳを１つのアンテナ上で維持する位置は空（ｅｍｐｔｙ）である。或いは、ＭＩＭＯについて時間−周波数リソース即ちＲＳを異なるアンテナ上に含むリソースエレメントは異なるという人がいるかもしれない。しかしながら、ＲＳに影響を与える干渉は、隣接セルのＲＳｓより大きな範囲で、主に、由来し、寄与する。例えば、軽く導入されたシステムにおいては、Ｉ＿ＲＳは、Ｉ＿ｄと明らかに異なるかもしれない。通常は、又は多くの場合にはＩ＿ｄよりも大きい。なぜならば、隣接セルにおいて、恐らく（ｐｏｓｓｉｂｌｙ）データが全てのリソースブロック（ＲＢ）には割り当てられてはいないからである。測定された干渉期間の統計値は、それゆえ、データチャネルに影響する干渉から明らかに逸脱しているかもしれない。１，２，４送信アンテナのケースにおけるＲＢについてのＲＳグリッドは、図２ａ〜２ｃ４中に描かれる。セル間において、ＲＳグリッドは、周波数ドメイン中においてシフトされるかもしれない。これは、標準が、干渉のランダム化を許容するために、周波数ドメインにおいて、予定される３つのシフトを構成する可能性を許容しているためである。セル中において用いられる周波数シフトは、プライマリ同期シーケンス（ＰＳＳ）にマッピングされる。そのため、３つの特定ＰＳＳが見込まれる。周波数シフトは、ＵＥによってＰＳＳの検出を要求するセル同期フェーズの間検出される。１つのＲＳグリッドは、多くの場合、時間領域においてタイムスロット０，５ｍｓ又はサブフレーム１ｍｓ、及び、周波数領域において、全セル帯域（ＢＷ）にわたる。周波数領域において、それは、多重ＲＢｓ例えば１０ＭＨｚＢＷのセルにおいて５０ＲＢｓ、又は２０ＭＨｚＢＷのセルにおいて１００ＲＢｓであり、その他色々である。引用符号２０２は、インデックス（ｋ，ｌ）によって識別され、ｌは０〜６の値であり、ｋは０〜１２の値であるリソースエレメントを示す。２つの送信アンテナのために、共通のＲＳｓについてのたった３つの周波数シフトが存在する。これは、全てのデータ干渉が測定されない状態を引き起こす。さらに、第１の３ＯＦＤＭシンボルは、データ干渉の代わりに、コントロールチャネル干渉が見られるかもしれない。コントロール信号は、データ信号と比べて様々なパワーに制御されるため、これらＲＳｓ上で得られる干渉推定は、データが送信されるときに存在する干渉を反映していないかもしれない。もし、サブフレームの後半において、例えば専用のＲＳを代わりに挿入するために共通ＲＳが除去されると、データＲＥｓ上で干渉を測定することが必要であるだろう。
【課題を解決するための手段】
【００２５】
“隣接セル品質測定”という表現は、ＵＥのサービングセル上又は中で実行された測定の他にも、上記サービングセルの隣接セル上又は中で実行された測定も含む。
【００２６】
この記述中において、“基地局”という単語は、ユーザ端末（ｕｓｅｒ ｔｅｒｍｉｎａｌ）と無線通信することのできる一般的なネットワークノードに対して用いられる。
【００２７】
リソースエレメントのセル固有のグリッドにおいて、リソースエレメントのサブセットが、サイレントに、即ちそこにいかなる種類の送信信号も割り当てられないように意図的に計画され及び／又は構成され、それはサイレントリソースエレメントグリッドと呼ばれる。
【００２８】
第１のネットワークノードは、例えばユーザ装置（ＵＥ）であってよい。
第２のネットワークノードは、例えば基地局であってよい。
１又は２以上の上記に示した問題を少なくとも軽減する、通信システムにおける隣接セル品質測定のための解決策を提供することは、本発明の１つの目的である。
【００２９】
干渉測定と関連するサービングセルの影響を含むことを避ける、隣接セル品質測定のための解決策を提供することもまた、本発明の１つの目的である。
【００３０】
上記目的のうちの少なくとも１つは、方法、構成（ａｒｒａｎｇｅｍｅｎｔ）、ネットワークノード、又はここで記述される本発明の実施例及び実施形態に従ったリソースエレメントグリッドにより達成される。
【００３１】
さらなる目的及び利点は、以下より明確である。
概して言えば、無線通信システムの第１のネットワークノードにおいて、モビリティの目的のために、隣接セル品質を測定するために実行される方法が提供される。上記方法は、以下のステップを含んでもよい。
−品質が測定される隣接セルｉの、データ割当てのないリソースエレメントを含むセル指定グリッド、すなわち、サイレントグリッドを取得するステップ
−上記グリッドが測定期間上にある間に、信号干渉を測定するステップ
−隣接セルｉの品質を測定された信号干渉に基づいて推測するステップ
【００３２】
一実施形態によれば、上記推測された隣接セルｉの品質を第２のネットワークノードにレポートするステップを含む第１の方法が提供される。
【００３３】
他の実施形態によれば、隣接セルｉの品質を、セルｉ中で用いられるサイレントリソースエレメントグリッドの間に測定又は推測されたインターセル干渉として計算し、測定し、及び／又は推測する第１の方法が提供される。
【００３４】
さらなる実施形態によれば、インターセル干渉がノイズ及びデータ又は制御チャネルからの受信パワー、またはそれらの組合せを含む第１の方法が提供される。
【００３５】
その上、さらなる実施形態によれば、信号強度、例えば参照信号受信パワー（ＲＳＲＰ）、及び干渉、例えばノイズ及び、又は、ノイズを含むインターセル干渉を用いて、隣接セルｉの品質を、計算、測定、及び／又は推測を含む第１の方法が提供される。
【００３６】
その上、さらなる実施形態によれば、参照シンボル受信品質（ＲＳＲＱ）としての隣接セルｉの品質の次式を用いた計算、測定、及び／又は推測を含む第１の方法が提供される。
ＲＳＲＱ＝ＲＳＲＰ／（Ｉinter-cell＋Ｎ0）
ここで、ＲＳＲＰは、参照シンボル受信パワー（Ｒｅｆｅｒｅｎｃｅ  Ｓｙｍｂｏｌ  Ｒｅｃｅｉｖｅｄ  Ｐｏｗｅｒ）であり、Ｉinter-cellは、セルｉ中で用いられるサイレントリソースエレメントグリッドの間に測定されるインターセル干渉であり、Ｎ０は、ノイズである。
【００３７】
一実施形態によれば、サイレントリソースエレメントグリッドのセルのセルＩＤに応じて、データ割当てを有さないデータリソースエレメントのサイレントリソースエレメントグリッド中のポジションの決定を含む第１の方法が提供される。
【００３８】
さらなる実施形態によれば、サイレントリソースエレメントグリッドのセルの隣接セルＩＤからの、第１のネットワークノードのためのサイレントリソースエレメントグリッドの取得を含む第１の方法が提供される。或いは、又は、加えて、サイレントリソースエレメントグリッドのセルの隣接セルＩＤから、第１のネットワークノードにサイレントリソースエレメントグリッドを知らせるステップを含んでもよい。
【００３９】
他の実施形態によれば、隣接セルｉ中で用いられるサイレントリソースエレメントグリッドのインデックスの関連する第１のネットワークノードへのシグナリング又は送信を含む第１の方法が提供される。インデックスは、少なくとも１つの制御チャネル、例えばプライマリ又はフィジカルブロードキャストチャネル（ＰＢＣＨ）及び／又はセカンダリ又は専用ブロードキャストチャネル（Ｄ−ＢＣＨ）を介して送信されるかもしれない。
【００４０】
その上、さらなる実施形態によれば、セカンダリ又は専用ブロードキャストチャネル（Ｄ−ＢＣＨ）がＰｈｙｓｉｃａｌ  Ｄｏｗｎｌｉｎｋ  Ｓｈａｒｅｄ  Ｃｈａｎｎｅｌ（ＰＤＳＣＨ）上にマッピングされる、又は、ＰＤＳＣＨを介して送信される、第１の方法が提供される。
【００４１】
概して言えば、第１のネットワークノード中の第１の構成が提供される。上記第１の構成は、少なくとも以下の要素又は手段を含むものであってよい。
−データ割当てを有さない、品質測定される隣接セルｉのデータリソースエレメントを含むセル指定サイレントグリッドを取得するグリッド取得手段
−上記サイレントグリッドが測定期間上にいる間、信号干渉を測定する測定手段
−隣接セルｉの品質を、測定された信号干渉に基づいて、計算し、測定し、及び／又は推測するための計算手段
【００４２】
一実施形態によれば、上記推測された隣接セルｉの品質を第２のネットワークノードにレポートするためのレポート手段を含む第１の構成が提供される。
【００４３】
他の実施形態によれば、計算手段が、セルｉ中で用いられるサイレントリソースエレメントグリッドの間、測定又は推測されるインターセル干渉としての隣接セルｉの品質の計算、測定、及び／又は推測に適合するようされた第１の構成が提供される。
【００４４】
その上、他の実施形態によれば、インターセル干渉が、ノイズ及びデータ又は制御チャネルからの受信パワー、又はそれらの組合せを含む第１の構成が提供される。
【００４５】
さらなる実施形態によれば、計算手段が、信号強度、例えば、参照シンボル受信パワー（ＲＳＲＰ）、及び、干渉、例えばインターセル干渉プラスノイズ又はノイズを含むインターセル干渉を用いた、隣接セルｉの品質の計算、測定、及び／または推測のために適合された第１の構成が提供される。
【００４６】
一実施形態によれば、計算手段が、次式を用いた、参照シンボル受信品質（ＲＳＲＱ）としての隣接セルｉの品質の計算、測定、及び／または推測のために適合された第１の構成が提供される。
ＲＳＲＱ＝ＲＳＲＰ／（Ｉinter-cell＋Ｎ0）
【００４７】
ここで、ＲＳＲＰは、参照シンボル受信パワー（Ｒｅｆｅｒｅｎｃｅ  Ｓｙｍｂｏｌ  Ｒｅｃｅｉｖｅｄ  Ｐｏｗｅｒ）であり、Ｉinter-cellは、セルｉ中で用いられるサイレントリソースエレメントグリッドの間に測定されるインターセル干渉であり、Ｎ０は、ノイズである。
【００４８】
他の実施形態によれば、サイレントリソースエレメントグリッド（２１０）のセルのセルＩＤに応じて、データ割当てを有さない、データリソースエレメントのサイレントリソースエレメントグリッド中のポジションを決定するための決定手段を含む第１の構成が提供される。
【００４９】
さらなる実施形態によれば、計算手段が、サイレントリソースエレメントグリッドを第１のネットワークノードのためにサイレントリソースエレメントグリッドのセルの隣接セルＩＤから取得するように適合された第１の構成が提供される。
【００５０】
或いは、又は、加えて、上記計算手段は、サイレントリソースエレメントグリッドを、サイレントリソースエレメントグリッドの隣接セルＩＤから、第１のネットワークノードに知らせるように構成される。
【００５１】
一実施形態によれば、隣接セルｉ中において用いられるサイレントリソースエレメントグリッドのインデックスを、関連する第１のネットワークノードに、少なくとも１つの制御チャネル、例えばプライマリ又はフィジカルブロードキャストチャネル（ＰＢＣＨ）及び／又はセカンダリ又は専用ブロードキャストチャネル（Ｄ−ＢＣＨ）を介して、シグナリングする、又は送信するための送信手段を含む第１の構成が提供される。
【００５２】
さらなる実施形態によれば、送信手段が、セカンダリ又は専用ブロードキャストチャネル上にマッピングするように、又は、ＰＤＳＣＨを介して送信するように適合された、第１の構成が提供される。
【００５３】
概して言えば、例えば、無線通信システムの基地局のような第２のネットワークノード中で実行される第２の方法が提供される。上記第２の方法は、無線通信システムの第１のネットワークノードによって、隣接セル品質測定で用いるための、サイレントリソースエレメントグリッドの設定（ｃｏｎｆｉｇｕｒｉｎｇ）又は設計（ｄｅｓｉｇｎｉｎｇ）を含む。上記第２の方法は、少なくとも下記のステップのうちの１つを含む。
−上記サイレントリソースエレメントグリッド中のデータ割当てを有さないリソースエレメントのうちの少なくとも１つを設定し、それによってサイレントリソースエレメントグリッドを実現するステップ
−データ送信のために用いられ、データ割当てを有さない上記サイレントリソースエレメントグリッド、すなわちＲＥのうちの、少なくともいくつかのリソースエレメントを設定するステップ
−サイレントリソースエレメントグリッドを、周波数及び時間において順に、リソースブロックにランダム化して割り当てるステップ
−サイレントリソースエレメントグリッドを、例えば周波数及び時間においてランダムに、変更するステップ
【００５４】
一実施形態によれば、上記サイレントリソースエレメントグリッドが、リソースブロック、タイムスロット、サブフレーム、及びフレーム中で編成されたリソースエレメントを含む第２の方法が提供される。さらに上記第２の方法は、それぞれのサブフレームのために適した、リソースブロックのリソースウィンドウへのグルーピングを伴う。好ましくは、それぞれのリソースウィンドウは、周波数において隣接するリソースブロックのグループを含む。
【００５５】
他の実施形態によれば、制御信号又は参照シンボル信号でない全てのリソースエレメントの列挙を含む第２の方法が提供される。好ましくは、上記列挙は、それぞれのリソースウィンドウについて行われる。
【００５６】
さらなる実施形態によれば、列挙されたリソースエレメントのセットからのサイレントリソースエレメントの指定番号（ｓｐｅｃｉｆｉｅｄ  ｎｕｍｂｅｒ）の選択を含む第２の方法が提供される。上記選択ステップは、列挙されたデータリソースエレメントのレンジの中から均一に番号生成する、擬似ランダム数生成器を用いて実行される。好ましくは、上記選択ステップは、それぞれのリソースウィンドウの中で、又はそれぞれのリソースウィンドウについて行われる。
【００５７】
その上、さらなる実施形態によれば、隣接セルｉ中で用いられる、サイレントリソースエレメントグリッドのインデックスの、関連する第１のネットワークノードへのシグナリングを含む第２の方法が提供される。上記シグナリングは、少なくとも１つの制御チャネル、例えば、プライマリ又はフィジカルブロードキャストチャネル（ＰＢＣＨ）及び／又はセカンダリ又は専用ブロードキャストチャネル（Ｄ−ＢＣＨ）を介して行われてもよい。
【００５８】
一実施形態によれば、セカンダリ又は専用ブロードキャストチャネル（Ｄ−ＢＣＨ）がＰＤＳＣＨ上にマッピングされる、又はＰＤＳＣＨを介して送信される第２の方法が提供される。
【００５９】
概して言えば、第２のネットワークノード、例えば無線通信システムの基地局における第２の構成が提供される。上記第２の構成は、少なくとも下記の手段のうちの１つを含む。
−隣接セル品質測定における使用のために、無線通信システムの第１のネットワークノードによって、サイレントリソースエレメントグリッドの設定又は設計のための第１の設定手段
−上記サイレントリソースエレメントグリッド中において、データ割当てを有さず、それによってサイレントリソースエレメントグリッドを実現する、少なくとも１つのリソースエレメントの設定のための第２の設定手段
−データ送信のために用いられ、データ割当てを有さない、上記サイレントリソースエレメントグリッド、即ちＲＥ中における、少なくともいくつかのリソースエレメントの設定のための第３の設定手段
−上記サイレントリソースエレメントグリッドを、周波数及び時間において、順にランダム化してリソースブロックに割当てるためのランダム化手段
−上記サイレンスリソースエレメントグリッドを、例えば周波数及び時間においてランダムに変更するための変更手段
【００６０】
一実施形態によれば、上記サイレントリソースエレメントグリッドがリソースブロック、タイムスロット、サブフレーム、及びフレーム中で編成されるリソースエレメントを含む第２の構成が提供される。上記第２の構成は、好ましくはそれぞれのサブフレーム、リソースブロックをリソースウィンドウへとグルーピングするための編成（ｏｒｇａｎｉｚｉｎｇ）手段を含む。好ましくは、それぞれのリソースウィンドウは、周波数において隣接したリソースブロックのグループを含む。
【００６１】
他の実施形態によれば、それぞれのリソースウィンドウに合わせて、制御又は参照シンボル信号でない全てのリソースエレメントを列挙する列挙手段を含む第２の構成が提供される。
【００６２】
さらなる実施形態によれば、それぞれのリソースウィンドウに合わせて、列挙されたリソースエレメントから、サイレントリソースエレメントの指定番号を選択する選択手段を含む第２の構成を提供する。好ましくは、上記選択手段は、例えば、列挙されたデータリソースエレメントのレンジの中で、均一に番号を生成する擬似ランダム数生成器を用いるよう適合されたものである。
【００６３】
その上、さらなる実施形態によれば、隣接セルｉ中で用いられるサイレントリソースエレメントグリッドのインデックスの、関連する第１のネットワークノードへの、シグナリング又は送信のための送信手段を含む第２の構成が提供される。上記送信手段は、好ましくは、上記インデックスの少なくとも１つの制御チャネル、例えばプライマリ又はフィジカルブロードキャストチャネル（ＰＢＣＨ）、及び／又は、セカンダリ又は専用ブロードキャストチャネル（Ｄ−ＢＣＨ）を介したシグナリング又は送信のために適合されたものである。
【００６４】
一実施形態によれば、送信手段がセカンダリ又は専用ブロードキャストチャネル（Ｄ−ＢＣＨ）のＰＤＳＣＨ上へのマッピング、又はＰＤＳＣＨを介した送信のために適合された第２の構成が提供される。
【００６５】
概して言えば、無線通信システムの第２のネットワークノードにおけるサイレントリソースエレメントグリッドが提供される。上記サイレントリソースエレメントグリッドは、リソースエレメント、例えばデータ割当てを有さないデータリソースエレメントを含んで構成される。上記サイレントリソースエレメントグリッドは、上記無線通信システムの第１のネットワークノードによる隣接セル品質測定に用いるために適合されてよい。
【００６６】
一実施形態によれば、周波数及び時間において順にランダム化されリソースブロックに割当てられたサイレントリソースエレメントグリッドが提供される。
【００６７】
本発明はまた、補助的に又は代替的に下記のように記述されてもよい。
【００６８】
本発明の第１の観点は、無線通信システムの、ユーザ装置（ＵＥ）のようなネットワークノードにおける、隣接セル品質測定のための方法に関する。本発明の第１の観点の第１の方法は、品質が測定される隣接セルｉのデータ割当てを有さないデータリソースエレメント（ＲＥｓ）のセル指定グリッドを取得するステップを含む。
【００６９】
これは、割当てられた基地局、例えばＮｏｄｅＢ又はｅＮｏｄｅＢが、このグリッド、以下サイレントＲＥグリッドと呼ばれるグリッド上で、サイレントであり、セル指定グリッドは、また割当てられたノード例えばＵＥに知らされるという利点を提供する。
【００７０】
ここで留意すべきは、サイレントＲＥグリッドは、リソースエレメントのグリッドと呼ばれ、リソースエレメントのサブセットは、意図的にサイレント、即ち、データが割当てられないよう計画された／構成されたことである。これは、本発明の記述全てを通して理解される、サイレントグリッドの定義である。
【００７１】
本発明の第１の観点による第２の方法は、このサイレントＲＥグリッド中における信号干渉の計測を含む。
【００７２】
ここで、ノードは、受信された信号上の、又はこのサイレントＲＥグリッド中における統計値を測定する。このような信号例えば Iinter-cell-data 及びIinter-cell-controlで示される信号は、データ及び／又は制御チャネルと干渉するインターセル信号から完全に生成される。統計値の測定は、計算量的に些細なものである。なぜならばデータは、残余ノイズ及び干渉を得るためにデコードされる必要がないからである。
【００７３】
制御チャネルに影響する干渉Iinter-cell-controlは、他のサイレントＲＥグリッドを制御チャネル上に導入することによって、即ち、潜在的にサブフレーム中の最初の３つのＯＤＦＭシンボル上で、データチャネル上における方法と類似する方法で推定されてもよい。これは、Ｅ−ＵＴＲＡＮ標準に従うと、タイムスロット中の最初の３つのシンボルが、送信のためにたとえばＰＤＣＣＨ又はＰＨＩＣＨといった制御チャネルに割当てられうるからである。
【００７４】
本発明の第１の観点による第３の方法において、隣接セルｉの品質は、測定された信号干渉、即ちインターセル干渉に基づいて推測される。
【００７５】
さらに具体的に言うと、セルｉについての隣接セル品質測定は、セルｉ中において用いられるサイレントＲＥグリッド中に推定又は測定されるインターセル干渉に基づいて導き出されてもよい。インターセル干渉は、データ又は制御チャネル又はそれらの組合せからの受信パワーを含むかもしれない。例として、ＲＳＲＱは、下式（２）に従って測定又は計算されてよい。ＲＳＲＰ及び干渉部分の双方は、同じ期間にサンプリングされるべきである。
【００７６】
【数２】
2015111883.tif 000004
【００７７】
隣接セル品質測定のためにサイレントグリッドを用いることは、その結果、干渉測定に関連するサービングセルの影響を除く。前に述べられたように、実際にはノイズ及び干渉は、分けることができない。これは、ノード例えばＵＥにより測定されるインターセル干渉測定は、実際のインターセル干渉とノイズの両方を含むことを意味する。即ち、計測された部分は、（２）中の分母Ｉinter-cell＋Ｎ０の全てを含む。
【００７８】
本発明のこの観点の一実施形態によれば、サイレントＲＥグリッドは、隣接セルＩＤから取得され、ネットワークノード例えばＵＥに知らされる。サイレントリソースエレメントグリッドは、隣接セルＩＤから、例えば表形式の例えば所定のルールを使用して取得されてもよい。本明細書中においては、隣接セルＩＤは、サイレントリソースエレメントグリッドのセルのセルＩＤである。これは、シグナリングのオーバーヘッドを少なく又はなくすことにつながるという利点を有している。
【００７９】
一方、隣接セルで用いられるサイレントグリッドのインデックスは、関連するネットワークノードに、例えばプライマリ又はフィジカルブロードキャストチャネル（ＰＢＣＨ）、及び／又はセカンダリ又は専用ブロードキャストチャネル（Ｄ−ＢＣＨ）を介して、シグナリングされる。セカンダリ又は専用ブロードキャストチャネルは、ＰＤＳＣＨを介して送信されてもよい。
【００８０】
本発明の第２の観点は、隣接セル品質を測定することのできる、無線通信システムの、ユーザ装置（ＵＥ）又は基地局（ＢＳ）例えばＮｏｄｅＢ又はｅＮｏｄｅＢのようなネットワークノードに関し、ノードは、本発明の第1の観点に従った方法を実行するよう構成される。
【００８１】
本発明の第３の観点は、無線通信システムのネットワークノードによって、隣接セル品質測定に用いるために、例えば、本発明の第１の観点に従った隣接セル品質測定において用いられるために、サイレントリソースエレメント（ＲＥ）グリッドを設定する（ｃｏｎｆｉｇｕｒｉｎｇ）即ち、又は、例えば設計する（ｄｅｓｉｇｎｉｎｇ）方法に関する。
【００８２】
本発明の第3の観点の第１の方法は、それぞれのサブフレームについて、リソースブロック（ＲＢｓ）をリソースウィンドウ（ＲＷｓ）にグルーピングするステップを含む。
【００８３】
ここで、それぞれのリソースウィンドウ（ＲＷ）は、好ましくは、周波数において隣接するリソースブロックのグループである。それぞれのＲＷにおけるＲＢｓの数は、好ましくは、又は適切には、半静的に設定される。特別なケースとして、全てのシステム帯域を示すたったひとつのＲＷが存在するかもしれない。又は、それぞれのＲＢについてひとつのＲＷが存在するかもしれない。隣接セル品質測定のために、好ましくは、又は適切には、全てのシステム帯域にわたるべきである。
【００８４】
本発明のこの観点の第２の方法は、制御信号又は参照シグナル（ＲＳ）信号、例えばＰＤＣＣＨ（Ｐｈｙｓｉｃａｌ  Ｄｏｗｎｌｉｎｋ  Ｃｏｎｔｒｏｌ  Ｃｈａｎｎｅｌ）を運ばない、或いは、制御信号又は参照シグナル信号でない、全てのＲＥｓをそれぞれのＲＷについて列挙するステップを含む。言い換えれば、含まれるデータのみの全てのＲＥｓを列挙せよ。
【００８５】
本発明のこの観点の第３の方法は、サイレントＲＥｓの師弟番号を、列挙されたＲＥｓのセットから、列挙されたデータＲＥｓのレンジの中で、均一に番号を生成する擬似ランダム数生成器を用いて、夫々のＲＷについて選択するステップを含む。
【００８６】
ここで、第１の方法のＲＷｓにグルーピングするステップは、サイレントＲＥｓのクラスタリングが十分に制限されたものであることを保証するだろう。選択されたサイレントＲＥｓの番号は、固定され、それぞれのＲＷの番号から取得され、又は半静的に設定されてもよい。
【００８７】
本発明の第３の観点の一実施形態によれば、サイレントＲＥグリッドは、周波数及び時間において順にランダム化されてリソースブロックに割当てられる。
【００８８】
これは、隣接セルの潜在的な重複グリッドの影響を最小化するという利点を有している。それぞれのセル中のグリッドは、それぞれのセルにおいてランダムに変更されてよい。これにより、干渉は、常に同じグリッドから測定されるのではなく、むしろより多くのＲＥ上での平均で測定されるようになる。
【００８９】
本発明の第４の観点は、例えば本発明の第１の観点に従って隣接セル品質を測定するための方法中で用いられるように、例えば、本発明の第３の観点に従ってサイレントに構成される、リソースエレメント（ＲＥ）グリッドに関する。
【００９０】
本発明は、さらに以下のように記述される。
ある観点によれば、モビリティの目的のために、隣接セル品質を測定するために、無線通信システムの第１のネットワークノード例えばユーザ装置中で実行される第１の方法が提供される。上記第１の方法は、以下に示す１又は複数のステップを含んでよい。
−データ割当てを有さない、即ち、サイレントグリッドであるリソースエレメントを含み、品質が測定される隣接セルｉのセル特定グリッドを取得するステップ
−上記グリッドの間、信号干渉を測定するステップ
−測定された信号干渉に基づいて隣接セルｉの品質を推測するステップ
【００９１】
一実施形態によれば、上記推測された隣接セルｉの品質を第２のネットワークノードにレポートするステップを含む、第１の方法が提供される。
【００９２】
さらなる実施形態によれば、セルｉについての隣接セル品質測定結果が、セルｉ中で用いられるサイレントリソースエレメントグリッドの間に推測又は測定されたインターセル干渉に基づいて取得される、第１の方法が提供される。
【００９３】
他の実施形態によれば、インターセル干渉が、データ又は制御チャネル、或いはそれらの組合せからの受信パワーを含む、第１の方法が提供される。
【００９４】
その上、さらなる実施形態によれば、隣接セルｉの品質が、参照シンボル受信品質（ＲＳＲＱ）として、計算、測定、及び／又は推測される第１の方法が提供される。
【００９５】
一実施形態によれば、参照シンボル受信品質（ＲＳＲＱ）が、次式を用いて計算される、第１の方法が提供される。
ＲＳＲＱ＝ＲＳＲＰ／（Ｉinter-cell＋Ｎ0）
ここで、ＲＳＲＰは、参照シンボル受信パワー（Ｒｅｆｅｒｅｎｃｅ  Ｓｙｍｂｏｌ  Ｒｅｃｅｉｖｅｄ  Ｐｏｗｅｒ）であり、Ｎ0は、ノイズである。
【００９６】
さらなる実施形態によれば、サイレントリソースエレメント（ＲＥ）グリッドが、隣接セル識別子（ＩＤ）から、取得される、又は第１のネットワークノード、例えばユーザ装置に知らされる第１の方法が提供される。
【００９７】
一実施形態によれば、隣接セルｉで用いられるサイレントグリッドのインデックスが、関連する第１のネットワークノード、例えばユーザ装置に、例えばプライマリブロードキャストチャネル（ＰＢＣＨ）及び／又はセカンダリブロードキャストチャネル（Ｄ−ＢＣＨ）を介してシグナリングされる、第１の方法が提供される。
【００９８】
第２の観点によれば、実施形態のいずれかに従った上記の第１の方法を実行するよう構成された第１の手段を有する第１のネットワークノード、例えばユーザ装置における第１の構成が提供される。
【００９９】
第３の観点によれば、第２のネットワークノード、例えば無線通信システムの基地局で実行される第２の方法が提供される。上記第２の方法は、サイレントリソースエレメント（ＲＥ）グリッドを、無線通信システムの第１のネットワークノードによる隣接セル品質測定において用いられるために設定するステップ即ち設計するステップを含んでよい。上記第２の方法は、少なくとも下記のステップのいずれか１つを含んでよい。
−上記サイレントリソースエレメントグリッドが、サイレントに、即ち、データ割当てを有さないように、計画（ｐｌａｎｎｅｄ）／構成（ｃｏｎｆｉｇｕｒｅｄ）されたデータリソースエレメントのサブセットを含むように設定するステップ
−サイレントリソースグリッドを、周波数及び時間において順にランダム化してリソースブロックに割当てるステップ
−上記サイレントリソースエレメントグリッドを時間及び／又は周波数上で変更するステップ
【０１００】
一実施形態によれば、上記サイレントリソースエレメント（ＲＥ）グリッドがサブフレームを含む第２の方法が提供される。さらに、上記第２の方法は、それぞれのサブフレームについて、リソースブロック（ＲＢｓ）をリソースウィンドウ（ＲＷ）にグルーピングするステップを含む。好ましくは、それぞえｒのリソースウィンドウ（ＲＷ）は、周波数において隣接する（ｃｏｎｔｉｇｕｏｕｓ）リソースブロック（ＲＢ）のグループである。
【０１０１】
一実施形態によれば、それぞれのリソースウィンドウについて、制御又は参照シンボル信号でない全てのリソースエレメントを列挙するステップを含む第２の方法が提供される。
【０１０２】
さらなる実施形態によれば、それぞれのリソースウィンドウについて、サイレントリソースエレメントの指定番号を、列挙されたリソースエレメントの中から選択するステップを含む第２の方法が提供される。好ましくは、これは、データリソースエレメントのレンジの中で、均一に数を生成する擬似ランダム数生成器を用いて実行される。
【０１０３】
さらなる観点によれば、例えば、第２の方法のいずれかの観点又は実施形態に従って、例えば、第１の方法の観点又は実施形態のいずれかに従った、隣接セル品質測定のための方法で用いられるように、サイレントに構成されたリソースエレメントグリッドが提供される。
【０１０４】
ここで記述された観点及び実施形態に従った本発明は、より正確な干渉、即ち、実質的に、実際にＵＥによって経験されるインターセル干渉だけを、推測又は測定するという利点がある。同様に、又は他の利点は、隣接セル品質測定が、より正確な、特定のセルのダウンリンクの実際の品質の予測を提供することである。本発明のさらなる利点は、モビリティパフォーマンスの改善、即ち、又は、例えば、改善されたセル再選択及びハンドオーバである。
【０１０５】
本発明は、
−より正確な干渉推測、即ち、実際にＵＥによって経験される、インターセル干渉のみ又は実質的にインターセル干渉のみの推測を認める。
−実際の特定のセルにおけるダウンリンクの品質のより正確な予測を可能にする。
−モビリティパフォーマンス即ち、又は例えば、セル再選択及びハンドオーバを改善する。
という利点をもたらす。
【０１０６】
ここで記述される方法のステップ及び本発明の他の特徴は、ＵＥと呼ばれるモバイル端末、又はモバイルステーション、及び／又は、ＮｏｄｅＢ又はｅＮｏｄｅＢと呼ばれる無線基地局のような、１又は複数のネットワークノードにおいて、プロセッサにより実行されるソフトウェアにより実装されるかもしれない。
【０１０７】
サイレントＲＥグリッドの好適な一例は、潜在的にデータを含むＲＥｓのようなリソースエレメントのうちのいくつかが用いられない、即ち、サイレントグリッドを形成するＲＥグリッドである。
【０１０８】
ここで用いられる３ＧＰＰ ＬＴＥ標準に関する如何なる例及び専門用語も、本発明のスコープを制限するよう理解されるべきではない。原則として手順は例えばＷＣＤＭＡを含む他のシステムに適用してもよい。本発明が原則的に無線システムのダウンリンク及びアップリンクに等しく適用可能であることは特筆すべきである。
【０１０９】
本発明に従った方法に関する上記の特徴は、また、方法と関連して記述されたと同じ利点を有する本発明に従った構成（ａｒｒａｎｇｅｍｅｎｔ）として実装することもできる。上記の本発明の、観点、実施形態、及び特徴の全ては、例えば同じ実施形態において自由に組み合わされることができることは言うまでもない。
【図面の簡単な説明】
【０１１０】
【図１】Ｅ−ＵＴＲＡＮにおいてＲＳＲＰ測定平均化の一例を示す図である。
【図２ａ】１送信アンテナの場合における、参照シンボル（ＲＳ）又は時間領域において２リソースブロック（ＲＢ）のサイズのためのリソースグリッド２００の一例を示す図である。
【図２ｂ１】２送信アンテナの場合における、参照シンボル（ＲＳ）又は時間領域において２リソースブロック（ＲＢ）のサイズのためのリソースグリッド２００の一例を示す図である。
【図２ｂ２】２送信アンテナの場合における、参照シンボル（ＲＳ）又は時間領域において２リソースブロック（ＲＢ）のサイズのためのリソースグリッド２００の一例を示す図である。
【図２ｃ１】４送信アンテナの場合における、参照シンボル（ＲＳ）又は時間領域において２リソースブロック（ＲＢ）のサイズのためのリソースグリッド２００の一例を示す図である。
【図２ｃ２】４送信アンテナの場合における、参照シンボル（ＲＳ）又は時間領域において２リソースブロック（ＲＢ）のサイズのためのリソースグリッド２００の一例を示す図である。
【図２ｃ３】４送信アンテナの場合における、参照シンボル（ＲＳ）又は時間領域において２リソースブロック（ＲＢ）のサイズのためのリソースグリッド２００の一例を示す図である。
【図２ｃ４】４送信アンテナの場合における、参照シンボル（ＲＳ）又は時間領域において２リソースブロック（ＲＢ）のサイズのためのリソースグリッド２００の一例を示す図である。
【図２ｄ】潜在的にデータを含むリソースエレメントのいくつかが用いられない、即ち、サイレントグリッドを形成する、１アンテナポートの場合における、サイレントグリッドの一例を示す図である。
【図２ｅ】概略的に描かれたリソースエレメントグリッド中における、ＯＦＤＭシンボル、タイムスロット、ＲＢ、ＲＷ、サブフレーム、フレームが概略的に描かれた図である。
【図２ｆ】概略的に描かれたリソースエレメントグリッド中における、ＯＦＤＭシンボル、タイムスロット、ＲＢ、ＲＷ、サブフレーム、フレームが概略的に描かれた図である。
【図２ｇ】概略的に描かれたリソースエレメントグリッド中における、ＯＦＤＭシンボル、タイムスロット、ＲＢ、ＲＷ、サブフレーム、フレームが概略的に描かれた図である。 シンボル・・・及び：は、全ての要素が示されているわけではないことを示唆している。図２ｅ，２ｆ，及び２ｇにおいて、これらのシンボルは、全てのＲＥｓ又はリソースエレメントグリッドが示されているわけではないことを示唆するために用いられる。これは、わかりやすくするためである。
【図３】本方法及び構成が用いられるかもしれないネットワークの典型的な一例を示す図である。
【図４】第１又は第３のネットワークノードにおいて実行することのできる、例えば第１の間ｔ年に従った方法を概略的に描くフローチャートである。上記方法は、類似するタイプのネットワークノードにおいて実行されてもよい。
【図５ａ】例えば、第１のネットワークノード中及び／又は、第２の観点に従ったネットワークノード中に示される、第１の構成の一例を概略的に描く図である。
【図５ｂ】例えば第１のネットワークノード、及び／又は第２の観点に従ったネットワークノード中で示される第１の構成の他の一例を概略的に描く図である。
【図６】ユーザ装置（ＵＥ）の一例を概略的に描く図である。
【図７】第２のネットワークノード中で実行される、例えば第３の観点に従った方法を概略的に描くフローチャートである。上記方法は、類似するタイプのネットワークノードにおいて実行されてもよい。
【図８】例えば第２のネットワークノード、及び／又は第２の観点に従ったネットワークノード中で示される、第２の構成の一例を概略的に描いた図である。
【図９】基地局（ＢＳ）の一例を概略的に描いた図である。
【発明を実施するための形態】
【０１１１】
略語
ＵＥ ユーザ装置
ＲＢ リソースブロック
ＲＥ リソースエレメント
ＲＷ リソースウィンドウ
Ｉ＿ｄ データシンボル上の干渉
Ｉ＿ＲＳ 参照シンボル上の干渉
ＲＳＲＰ 参照シンボル受信パワー
（Ｒｅｆｅｒｅｎｃｅ Ｓｙｍｂｏｌ Ｒｅｃｅｉｖｅｄ Ｐｏｗｅｒ）
ＲＳＲＱ 参照シンボル受信品質
（Ｒｅｆｅｒｅｎｃｅ Ｓｙｍｂｏｌ Ｒｅｃｅｉｖｅｄ Ｑｕａｌｉｔｙ）
ＲＳＳＩ 受信信号強度インジケータ
（Ｒｅｃｅｉｖｅｄ Ｓｉｇｎａｌ Ｓｔｒｅｎｇｔｈ Ｉｎｄｉｃａｔｏｒ）
ＰＢＣＨ 物理又はプライマリブロードキャストチャネル
（Ｐｈｙｓｉｃａｌ ｏｒ ｐｒｉｍａｒｙ Ｂｒｏａｄｃａｓｔ Ｃｈａｎｎｅｌ）
ＰＤＳＣＨ 物理ダウンリンク共有チャネル
（Ｐｈｙｓｉｃａｌ ｄｏｗｎｌｉｎｋ ｓｈａｒｅｄ ｃｈａｎｎｅｌ）
Ｄ−ＢＣＨ 専用又はセカンダリブロードキャストチャネル
（Ｄｅｄｉｃａｔｅｄ ｏｒ ｓｅｃｏｎｄａｒｙ ｂｒｏａｄｃａｓｔ ｃｈａｎｎｅｌ）
Ｐ−ＳＣＨ プライマリ同期チャネル
Ｓ−ＳＣＨ セカンダリ同期チャネル
ＰＳＳ プライマリ同期シーケンス
ＳＳＳ セカンダリ同期シーケンス
【０１１２】
全体的なアイデアは、隣接セル品質測定値（例えば、ＲＳＲＱ）の干渉部分を、サービング及び隣接セルから、リソースエレメントのサイレントグリッド中に、又は、サイレントリソースエレメントグリッド中に、測定又は推測することである。これまでのところ、又は、背景技術において、隣接セル品質測定値、例えばＲＳＲＱの干渉部分は、サービングセルからの影響も含んでいる。本発明中の、又は本発明に従った、方法及び構成は、隣接セル品質測定値例えばＲＳＲＱがインターセル干渉のみ、又は、実質的にインターセル干渉のみを含むことを保証するだろう。これは、より正確なＲＳＲＱ又は品質の推測又は計算を可能にするだろう。なぜならば、ＯＦＤＭＡにおいてイントラセル干渉は、しばしば無視できるほどささいなものであるからである。
【０１１３】
下記に、本発明の様々な実施形態及び変形例とその特徴が記述されるだろう。
【０１１４】
簡潔に説明すると、本発明は、通信システムにおいて、サイレントリソースエレメントグリッドを用いた、隣接セル品質測定のための方法及び構成を含む。
【０１１５】
より詳細には、本発明は、下記の概略的な（ｇｅｎｅｒａｌ）ステップ及び特徴、並びに実施例を含む。下記において、焦点はデータチャネルにおかれる。しかし、簡単な変形を伴ういくつかのアプローチは、制御チャネルに影響する干渉の推測に適用されてもよい。本発明は、部分的には、図を参照しながら記述される。しかし、示された情報は、いかなる特定の例又は実施形態も限定するものではなく、一般的に展開又は用いることができるだろう。
【０１１６】
サイレントグリッドのデザイン
サイレントリソースエレメントグリッドをデザインするときには、いくつかの観点に留意すべき又は、留意することが適当である。
１．サイレントリソースエレメントグリッド上又はサイレントリソースエレメントグリッドに影響を与える干渉は、全体的な干渉の統計情報を適切に反映すべきである。従って、データチャネル上のサイレントＲＥｓの分布は、適切に、出来る限り均一である必要がある。しかしまた、もしデータチャネル上のサイレントＲＥｓの分布が出来る限り均一でない場合、サイレントリソースエレメントグリッドを用いることは、好都合である。
２．重大な、隣接セルのサイレントグリッドとの長期間の重複を避けるために、時間及び／又は周波数上、適切に変化すべきであるという意味で、サイレントリソースエレメントグリッドは、好ましくは、又は、適切には、擬似的にランダムであるべきである。サイレントリソースエレメントグリッドは、また、時間及び／周波数上変化せずに、例えば擬似的にランダムに用いられてもよい。
時間及び／又は周波数上で変化するサイレントリソースエレメントグリッドを考慮することは、特筆すべきである。本発明は、擬似的にランダムなサイレントリソースエレメントグリッドに限定されず、例えば、代わりの方法は、重大な重複が生じていない、隣接セルのサイレントリソースエレメントグリッドをコーディネートすることである。そのようなアプローチは、しかしながら、注意深い計画を通常必要とするため、重大な展開の困難性をもたらすかもしれない。
【０１１７】
３．ＵＥｓは、好ましくは、又は、適切には、制御信号オーバーヘッドが少ない、又は好ましくは制御信号オーバーヘッドがない状態でサイレントリソースエレメントグリッドを容易に取得することができるべきである。
この制限事項は、好ましい、又は適切ではあるけれども、本発明は、この制限事項に限定されないことは特筆すべきである。サイレントリソースエレメントグリッドレイアウトの明確なシグナリングを用いることは、想像できる。
【０１１８】
４．１又はいくつかのＲＢｓ中におけるサイレントＲＥｓのクラスタリングは、好ましくは、又は適切には、改善されたサンプル統計値のために回避されるべきである。これは、下記の例によって描かれる。
ａ．例えば、２つのサイレントリソースエレメント（ＲＥ）が、セル内で５個のリソースブロック（ＲＢ）毎に存在し、最大４つのサイレントＲＥが１つのＲＢ中において許容されると仮定する。従って、ひとつのＲＢ中の１２のＲＥの中から、４つはサイレントＲＥである。これは、合計、全てのセルにおいて、ＲＢ当たり、４つのサイレントＲＥが存在することを意味している。１０ＭＨｚセルの場合、即ち、５０ＲＢを含むが、セル毎の全体的なサイレントグリッドは、２０個のＲＥ、即ち５個のＲＢ毎に２個のＲＥを含む。かくして、合計、１０×２＝２０の、異なるセルで用いられる固有サイレントＲＥグリッドが存在する。これは、異なるセルにおいて、サイレントＲＥを含むリソースブロックは、異なるためである。例えば、１つのセル中において、サイレントＲＥを含む第１のＲＢは、また、数理上の（ｎｕｍｅｒｏｌｏｇｉｃａｌ）順序で１番目のＲＢであり、次のＲＢは、５番目である。などなど。しかし、他のセルにおいて、サイレントＲＥを含む１番目のＲＢは、数理上の順序で２番目のＲＢであるかもしれず、次のＲＢは６番目である。などなど。これは、サイレントグリッドは、この例において、２０個のセル毎の後に再利用される。
【０１１９】
これら４つの基準を達成するための１つのスキームは、以下の通りである。
・それぞれのサブフレームについて、ＲＢｓが適切にリソースウィンドウ（ＲＷ）にグルーピングされる。
−それぞれのＲＷは、適切には、例えば周波数において隣接するＲＢｓのグループである。
−それぞれのＲＷにおけるＲＢｓの数は、適切には、半静的に設定される。
−特別なケースとして、全てのシステム帯域を示すたった１つのＲＷが存在し得る。又は、それぞれのＲＢについてＲＷが存在し得る。隣接セル品質測定のために、好ましくは、又は適切には、全てのシステム帯域にわたるべきである。１つのＲＷが全てのシステム帯域を示すことは、好適である。
・それぞれのＲＷについて、適切には、制御又はＲＳ信号でない全てのＲＥｓが列挙される。
・それぞれのＲＷ中で、適切には、特定の数のサイレントＲＥｓが、列挙されたＲＥｓのセットから選択される。例えば、列挙されたＲＥｓ、例えばデータＲＥｓのレンジの中で、均一に数を生成する、擬似ランダム数生成器を用いて選択される。ＲＷｓへのグルーピングは、サイレントＲＥｓのクラスタリングが十分に制限されることを保証するだろう。
【０１２０】
擬似ランダム数生成器の代替手段として、サイレントリソースエレメントグリッドが、全てのセルにおいて、定期的に変化することも可能である。適切には、ＵＥは、この定期的な変化の現時点のパターンを、サービングセルにおいて、知っている、又は知らされる。例えば、特定のパターンは、フレームナンバーｋ毎に、セルＩＤが知られたサービングセルｓ中において開始してもよい。ＵＥは、隣接セルｉ中におけるサイレントリソースエレメントグリッドについての現時点のパターンを、そのセルＩＤから、即ち隣接セルｉのセルＩＤから取得することができる。例えば、セルｓが特定のサイレントリソースエレメントグリッドＮを用いているとき、同時にセルｉは、特定のサイレントリソースエレメントグリッドＭを使用する。この関係。
【０１２１】
・選択されたサイレントＲＥｓの数は、例えば、ａ）固定であってもよく、ｂ）それぞれのＲＷ中のＲＢｓの数から取得されてもよく、又は、ｃ）半静的に設定されてもよい。
・代替的に、ａ）サイレントＲＥｓの数は、インターセル干渉測定のために用いることができる、又は、例えばデータ送信のために用いる代わりに、犠牲にすることのできるＲＥｓの数に応じて異なる。
・サイレントＲＥｓの数はまた、セルＢＷに左右される。サイレントＲＥｓの数は、セルＢＷ及び／又はＲＢｓの合計数に比例してもよい。
・代替的に、ｂ）これは、例えば、下記のように実現されてよい。１つのセル中において、５個のＲＢ毎に２つのサイレントＲＥｓを有し、１つのＲＢ中に最大４つのサイレントＲＥが存在することが許されると仮定する。すると、ＲＢ毎に合計４つのサイレントＲＥｓが存在する。従って、ＲＢ中における１２のＲＥのうち、４つはサイレントＲＥである。そして、もしセルＢＷが１０ＭＨｚであれば、これは５０個のＲＢｓが存在することを意味し、そして、セル毎の全体としてのサイレントリソースエレメントグリッドは、２０個のサイレントＲＥを含む。
合計、１０×２＝２０のサイレントＲＥグリッドが利用可能である。これらは、適切には、２０セル毎に再利用されるべきである。
【０１２２】
・代替的に、ｃ）これは、例えば、下記のように実現されてよい。様々なパラメータを設定するための、基地局に接続する（ＢＳ）マニュアル設定により、又は、オペレーション及びメンテナンス機能により実現される。他の可能性としては、自動的に様々なＢＳのパラメータを設定する自己最適化ネットワーク（ＳＯＮ：Ｓｅｌｆ Ｏｐｔｉｍｉｚｅｄ Ｎｅｔｗｏｒｋ）であり、サイレントリソースエレメントグリッドを設定することができる。
【０１２３】
スキームはまた、簡単に、ＲＷに時間領域においてＲＢの一部のみを構成させることを一般化することができる。例えば、ＲＢ中のＯＦＤＭシンボルは、グループ化され、ＲＳシンボル、及びデータシンボルを含むシンボルは、ＲＷ＿ＲＳにマッピングされる。そして、ＯＦＤＭシンボルは、データだけを運び、ＲＷ＿ｄにマッピングされる。例えば、ＲＢ中のＯＦＤＭシンボルは、グループ化され、ＲＳシンボル及びデータシンボルを含むシンボルは、ＲＷ＿ＲＳにマッピングされ、ＯＦＤＭシンボルはデータだけを運び、ＲＷ＿ｄにマッピングされる。従って、ＲＷ＿ＲＳは、ＲＢ中のＲＳだけを含むＯＦＤＭシンボルのグループのセットを示す。
【０１２４】
ＲＷ＿ＲＳ及びＲＷ＿ｄにおいて異なる数の、又はＲＷ＿ＲＳにおいてＲＷ＿ｄとは異なる数のサイレントＲＥｓを用いることも考えられる。そのようなＯＦＤＭシンボルの分離は、ＲＷ＿ＲＳに影響するインターセル干渉とＲＷ＿Ｄは異なる干渉統計値を有することから、有用であり得る。これは、同様に、ダウンリンク品質の異なる推測値をもたらすかもしれない。例えば、隣接セル測定推定値から、ＲＷ＿ｄに基づいた干渉統計値は、実際のセル品質を表現するために有益である。
【０１２５】
本発明の他の利点は、いくつかのＲＥｓ上でサイレントに保つことにより削減できるかもしれないパワーは、データ又は参照シンボルを運ぶ他のＲＥｓ上のパワーを引き上げるために再分配することができる。異なるＯＦＤＭシンボルを異なるＲＷカテゴリに割当てる先行する方法の、又はその一部のそのようなパワー再配分は、ＯＦＤＭシンボル中でパワー再配分するための有用な方法であり得る。これは、ＲＳを搬送するＲＥｓ上の及び同じＯＦＤＭシンボル内でデータを搬送するＲＥｓについて異なるパワーをサポートするための一例である。
【０１２６】
サイレントＲＥグリッドの決定
前述に示唆されたように、サイレントＲＥグリッドを、一貫した（ｃｏｎｓｉｓｔｅｎｔ）グリッド重複、又は、サイレントリソースエレメントグリッドの隣接セルとの重複を透過的に回避するために、擬似ランダムに生成することは有益である。従って、ＮｏｄｅＢ又は基地局において用いられる擬似ランダム生成器と、ＵＥｓにおいて用いられる擬似ランダム生成器とを同期することは、必要であり、適切である。擬似ランダム生成器の同期のためのシンプルな、又は単純なスキームは、それぞれのフレームにおいて、１．それぞれのセルに固有に提供されるセル識別子（セルＩＤ）２．継時的にホッピングを提供するフレームインデックスから生成されたシードを用いて、擬似ランダム生成器を再初期化することである。
【０１２７】
セルＩＤ及びフレームインデックスの両方は、ＵＥｓにおいて利用可能である。Ｅ−ＵＴＲＡＮにおいて、セルＩＤは、同期チャネル、ＳＨ，（Ｐ−ＳＣＨ又はＰＳＳ及びＳ−ＳＣＨ又はＳＳＳ）上に、参照シンボルと共にマッピングされる。従って、ＵＥは、全セルＩＤをＰ−ＳＣＨ又はＰＳＳ，及び、Ｓ−ＳＣＨ又はＳＳＳ信号から、それぞれのセルの同期手順の間に手に入れる。ＵＥは、全ての必要な隣接セルのセルＩＤを手に入れなければならない。これは、ＵＥが、全ての隣接セルで用いられるサイレントＲＥグリッドを、ブロードキャストチャネルのような如何なる追加の情報も読み込むことなく、簡単に取得することを意味する。この場合において、手順は、以下の通りである。又は以下の通りであり得る。ＵＥはまずサイレントＲＥグリッドをセル中で取得し、そして、このサイレントＲＥグリッド中の干渉を測定する。これは、順に、この特定のセルの隣接セルの品質を測定又は計算するために用いられる。
【０１２８】
擬似ランダム数生成器の再初期化間隔は、ＵＥにおいて適したインデックスが利用可能であり、継時的にシードを進めるために用いられる限り、如何なる間隔が用いられてよい。これは、しかし、サブフレーム又はフレームのグループを限定するものではない。
【０１２９】
他の可能性としては、Ｅ−ＵＴＲＡＮにおいて、セル中で用いられる、シード又はサイレントＲＥグリッドのインデックスは、セルＩＤにマッピングされるよりはむしろ、プライマリ又は物理ブロードキャストチャネル（Ｐ−ＢＣＨ又はＰＢＣＨ）を介してシグナリングされる。これは、ダウンリンク共有チャネル、即ちＰＤＳＣＨ（Ｐｈｙｓｉｃａｌ Ｄｏｗｎｌｉｎｋ Ｓｈａｒｅｄ ＣＨａｎｎｅｌ）上にマッピングされる、本格的な専用ブロードキャストチャネル（Ｄ−ＢＣＨ）と比較して、ＵＥがＰ−ＢＣＨ又はＰＢＣＨを読み込むことを比較的容易にする。Ｄ−ＢＣＨは、システムインフォメーションブロック（ＳＩＢ）と呼ばれるデータブロックの形態で送信される、全てのシステム情報を含む。しかし、原則として、サイレントＲＥグリッドのシード又はインデックスは、また、Ｄ−ＢＣＨを介して送信することもできる。他の実施形態においては、又は、サイレントグリッドＲＥ又はサイレントリソースエレメントグリッドの代替として、セルにおいて送信される情報は、セルＩＤ上にマッピングされる１つの静的な部分と、ブロードキャストチャネル、即ち、Ｐ−ＢＣＨ、ＰＢＣＨ、又はＤ−ＢＣＨを介して送信される、半静的な部分との２つの部分に分けることができる。Ｐ−ＢＣＨ、ＰＢＣＨ、又はＤ−ＢＣＨを用いる、これらの方法又はケースのいずれかにおいて、ＵＥは、どこでそれが送信されたか、又は、隣接セルのどのチャネルが用いられたかに応じて、そのセルで用いられるサイレントＲＥグリッドについての完全な情報を得るために、まずＰ−ＢＣＨ、ＰＢＣＨ、又はＤ−ＢＣＨをまず読み込まなければならないだろう。サイレントグリッドＲＥパターン、又は、サイレントリソースエレメントグリッドのパターンを手に入れた後に、ＵＥは、隣接セル品質測定を実行するものとする。
【０１３０】
本発明の１つの重要な観点は、既に言及されたように、セルｉからの、又はセルｉについての、隣接セル品質測定のためのインターセル干渉が、セルｉにおいてサイレントＲＥグリッドの間測定され、そのため、干渉統計値へのサービングセルからの影響を回避することである。インターセル干渉推測は、さらに、下記に詳しく述べられる。
【０１３１】
インターセル干渉測定
サイレントＲＥグリッドは、ＵＥによって、データチャネル又は制御チャネルに影響する、インターセル干渉の統計を収集するために用いられる。もし、サイレントＲＥグリッドが、データチャネル上に均一に配分されるならば、上記に示されるように、サイレントＲＥグリッドにおいて収集される干渉サンプルは、継時的に、データチャネルに影響する干渉と完全に同一であるだろう。これらのサンプルは、したがって、ＵＥによって推測するために利用される。
・データチャネルに影響するインターセル干渉パワー
・データチャネルに影響するインターセル干渉の共分散マトリックス。これは、ＵＥが多重アンテナ有するならば、経験的に有益である。
・インターセル干渉の全確率分布
【０１３２】
測定された統計値は、参考文献［３］に提案されるアプローチと似た方法によって、時間及び周波数に渡って平均化されてよい。１つの重要な差異は、隣接セル品質測定の場合において、時間平均は、ＣＱＩ推定のために用いられる期間と比較して相当に長い期間にわたって実行されることである。ＣＱＩの場合において、平均化は、１又は複数のサブフレームにわたる。これについては、下記にさらに説明される。
【０１３３】
サイレントリソースエレメントグリッドは、適切には、連続的に、例えば毎サブフレームにおいて、即ち１ｍｓ毎に利用可能である。しかし、隣接セル品質測定は、周期的なサンプルを用いる特定の測定期間、に実行される。例えば、それぞれのサンプルが２ｍｓであり、５０ｍｓ周期である即ち、この例において、２００ｍｓの測定期間中、２ｍｓの４つのサンプルがある。
【０１３４】
前セクションにおいて説明されたように、このインターセル干渉測定サンプルは、式（１）において用いられてよい。又は、より明確に、セル品質測定値、即ち、又は例えば、ＲＳＲＱを得るために、式（２）において用いられてよい。しかし、本発明は、干渉成分を含むいかなるタイプの品質測定にも適用することができる。
【０１３５】
説明された要旨は、当然ながら、上で説明した実施形態、代替手段及び例示に限定されるものではなく、本発明の一般的なコンセプトの範囲内において修正されることができる。
【０１３６】
＜参考文献＞
［１］3GPP TS 25.215, “Physical layer measurements (FDD)”.
［２］3GPP TS 36.214, “Evolved Universal Terrestrial Radio Access (E UTRA); Physical layer measurements”.
［３］R1-074855, CQI Measurement Methodology, Ericsson, 3GPP RAN1#51, Korea.
【図１】
2015111883.tif 000005
【図２ａ】
2015111883.tif 000006
【図２ｂ１】
2015111883.tif 000007
【図２ｂ２】
2015111883.tif 000008
【図２ｃ１】
2015111883.tif 000009
【図２ｃ２】
2015111883.tif 000010
【図２ｃ３】
2015111883.tif 000011
【図２ｃ４】
2015111883.tif 000012
【図２ｄ】
2015111883.tif 000013
【図２ｅ】
2015111883.tif 000014
【図２ｆ】
2015111883.tif 000015
【図２ｇ】
2015111883.tif 000016
【図３】
2015111883.tif 000017
【図４】
2015111883.tif 000018
【図５ａ】
2015111883.tif 000019
【図５ｂ】
2015111883.tif 000020
【図６】
2015111883.tif 000021
【図７】
2015111883.tif 000022
【図８】
2015111883.tif 000023
【図９】
2015111883.tif 000024
【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
サービング無線基地局および少なくとも１つの隣接無線基地局を備える無線通信システムにおいて使用される無線送受信ユニット（ＷＴＲＵ）であって、
前記少なくとも１つの隣接無線基地局からの干渉を推測するための実行可能命令によりプログラムされたプロセッサであって、前記実行可能命令は、
前記少なくとも１つの隣接無線基地局のセル識別子を取得し、
前記少なくとも１つの隣接無線基地局において使用されるサイレントリソースエレメントグリッドを決定し、
前記サイレントリソースエレメントグリッド中のサイレントリソースエレメントに基づいて前記少なくとも１つの隣接無線基地局からの干渉を決定し、
前記決定された干渉に基づいて、前記サイレントリソースエレメントについての前記少なくとも１つの隣接無線基地局の品質を決定すること
を含む、プロセッサを備えるＷＴＲＵ。
【請求項２】
前記プロセッサは、前記品質を前記サービング無線基地局にレポートする実行可能命令をさらに有する、請求項１に記載のＷＴＲＵ。
【請求項３】
前記決定された干渉は、ノイズと、前記少なくとも１つの隣接無線基地局からのデータまたは制御チャネルのうちの１つと、を含む、請求項１に記載のＷＴＲＵ。
【請求項４】
前記少なくとも１つの隣接無線基地局の品質を決定する前記命令は、信号強度、干渉、およびノイズを使用することを含む、請求項１に記載のＷＴＲＵ。
【請求項５】
前記サイレントリソースエレメントグリッドのインデックスを記憶するメモリをさらに備える、請求項１に記載のＷＴＲＵ。
【請求項６】
前記インデックスは、プライマリブロードキャストチャネルまたは専用ブロードキャストチャネルのうちの１つの上で受信される、請求項５に記載のＷＴＲＵ。
【請求項７】
前記少なくとも１つの隣接無線基地局において使用されるサイレントリソースエレメントグリッドを決定する前記命令は、データ割当てを有さないように前記サイレントリソースエレメントを設定することを含む、請求項１に記載のＷＴＲＵ。
【請求項８】
前記サイレントリソースエレメントグリッドは、リソースブロック、時間スロット、サブフレーム、およびフレーム中で編成されるリソースエレメントを含む、請求項１に記載のＷＴＲＵ。
【請求項９】
前記少なくとも１つの隣接無線基地局において使用されるサイレントリソースエレメントグリッドを決定する前記命令は、それぞれのサブフレームについて、前記リソースブロックをリソースウィンドウにグルーピングすることを含む、請求項８に記載のＷＴＲＵ。
【請求項１０】
前記サイレントリソースエレメントは、データ割当てを有さない、請求項１に記載のＷＴＲＵ。
【外国語明細書】
2015111883000001.pdf